(57)【特許請求の範囲】
【請求項１】
バーコード情報を構成するエレメント単位毎に数値化された所定のバーコード幅情報をキャラクタ毎に記憶する記憶手段とを有し、
前記記憶手段は、前記バーコード幅情報とともに、バーコードの展開幅を決定する倍率データをそれぞれ記憶することを特徴とするバーコード発生装置。
【請求項２】
バーコード情報がエレメント単位毎に数値化された所定のバーコード幅情報と前記バーコードの展開幅を決定する倍率データとをキャラクタ毎に記憶する記憶手段と、
入力されるキャラクタコードに基づいて前記記憶手段に記憶されたバーコード情報をエレメント単位に読み出してバーパターンを展開する展開手段と、
前記展開手段により展開されたバーパターンを保持する保持手段と、前記保持手段に保持される前記バーパターンを出力する出力手段と、
を有することを特徴とする出力装置。
【請求項３】
前記出力手段は、インクジェットプリンタで構成したことを特徴とする請求項２記載の出力装置。
【請求項４】
前記展開手段は、バー幅を計算してバーパターンを展開することを特徴とする請求項２記載の出力装置。
【請求項５】
前記展開手段は、あらかじめ保持された倍率データに基づいたバー幅を用いてバーパターンを展開することを特徴とする請求項２記載の出力装置。
【請求項６】
前記記憶手段は、前記バーコード情報とともに、バーコードの展開幅を決定する倍率データをそれぞれ記憶することを特徴とする請求項２記載の出力装置。
【請求項７】
バー情報がエレメント単位に数値化された所定のバーコード幅情報と前記バーコードの展開幅を決定する倍率データとをキャラクタ毎に記憶する記憶手段を有する出力装置のデータ処理方法において、
入力されるキャラクタコードに基づいて前記記憶手段に記憶されたバーコード情報をエレメント単位に読み出してバーパターンをメモリに展開する展開工程を有することを特徴とする出力装置のデータ処理方法。
【請求項８】
前記メモリに展開されたバーパターンを出力する出力工程を有することを特徴とする請求項７記載の出力装置のデータ処理方法。
【発明の詳細な説明】
【０００１】
本発明は、所定のバーコードを展開処理可能なバーコード発生装置および該展開されるバーコードを出力する出力装置および出力装置のデータ処理方法に関するものである。
【０００２】
【従来の技術】
従来、所定のバーコードを印刷可能な印刷装置において、バーコードを印刷する場合、バーコードジェネレータを備え、各キャラクタ毎のバー情報は、既に展開済みのビットパターン情報を格納していた。
【０００３】
図１０は、この種の印刷装置に適用可能なバードコードテーブルの一例を示す図であり、代表的なバーコードである「ＣＯＤＡＢＡＲ（ＮＷ−７）」に対応する。
【０００４】
当該バーコードは、「０」〜「９」，「Ａ」〜「Ｄ」および記号の各キャラクタから構成されている。
【０００５】
図１１は、従来のバーコードジェネレータにおけるバーコードデータの詳細を示す図であり、図１０に示した各キャラクタに対応するバーパターンを展開済みのビットパターン情報として格納している。
【０００６】
【発明が解決しようとする課題】
しかしながら、上記のようなデータ処理によりバー情報を格納すると、バーコードの倍率計算による展開処理をビット単位に処理する必要が生じ、バーコード展開処理に時間がかかり印刷データを展開する効率が低下するという問題点があった。
【０００７】
本発明は、上記の問題点を解決するためになされたもので、本発明の第１の目的は、バーコード情報を構成するエレメント単位毎に数値化された所定のバーコード幅情報並びにバーコードの展開幅を決定する倍率データを記憶することにより、バーコードの倍率計算による展開処理時間を短縮できるバーコード発生装置および出力装置のデータ処理方法を提供することである。
また、第２の目的は、入力されるキャラクタコードに基づいて記憶されるバーコード情報と該バーコードの展開幅を決定する倍率データとを読み出して倍率に応じたバーパターンを展開して出力することにより、バーコードの倍率計算による展開処理時間を短縮して、効率よくバーパターンを出力できる出力装置および出力装置のデータ処理方法を提供することである。
【０００８】
【課題を解決するための手段】
本発明に係るバーコード発生装置は、バーコード情報を構成するエレメント単位毎に数値化された所定のバーコード幅情報をキャラクタ毎に記憶する記憶手段とを有し、前記記憶手段は、前記バーコード幅情報とともに、バーコードの展開幅を決定する倍率データをそれぞれ記憶することを特徴とする。
【０００９】
本発明に係る出力装置は、バーコード情報がエレメント単位毎に数値化された所定のバーコード幅情報と前記バーコードの展開幅を決定する倍率データとをキャラクタ毎に記憶する記憶手段と、入力されるキャラクタコードに基づいて前記記憶手段に記憶されたバーコード情報をエレメント単位に読み出してバーパターンを展開する展開手段と、前記展開手段により展開されたバーパターンを保持する保持手段と、前記保持手段に保持される前記バーパターンを出力する出力手段とを有することを特徴とする。
【００１０】
本発明に係る出力装置のデータ処理方法は、バー情報がエレメント単位に数値化された所定のバーコード幅情報と前記バーコードの展開幅を決定する倍率データとをキャラクタ毎に記憶する記憶手段を有する出力装置のデータ処理方法において、入力されるキャラクタコードに基づいて前記記憶手段に記憶されたバーコード情報をエレメント単位に読み出してバーパターンをメモリに展開する展開工程を有することを特徴とする。
【００１９】
【発明の実施の形態】
〔第１実施形態〕
図１は、本発明に係るバーコード発生装置および出力装置を適用可能な印刷装置を提供可能なプリンタシステムの構成を説明する概略斜視図である。
【００２０】
図において、１０１はカラーバーコードプリンタで、ロール紙フォルダー１０４内に内蔵している印刷媒体であるロール紙１０５に、プリンタケーブル１０２により接続されているホストコンピュータ１０３から受信した印刷データを印刷することが可能である。
【００２１】
図２は、本発明の第１実施形態を示す印刷装置の構成を説明する制御ブロック図である。
【００２２】
図において、２００はＭＰＵで、プログラムＲＯＭ２０１に格納された制御プログラムを実行して各部を総括的に制御する。
【００２３】
なお、プログラムＲＯＭ２０１には、バーコードジェネレータを内蔵している。２０２はＲＡＭで、ＭＰＵ２００のワークメモリとして機能する。２０３はキャラクタジェネレータＲＯＭ（ＣＧＲＯＭ）で、印刷用のフォント情報を記憶している。２０４はＶＲＡＭで、印刷データが展開される。２０５は通信用のドライバで、ホストコンピュータ１０３との通信を行う。２０６はモータドライバで、ロール紙を搬送するモータ２０７を駆動する。
【００２４】
２０８はヘッド駆動回路で、各色（イエロー（Ｙ），マゼンタ（Ｍ），シアン（Ｃ），ブラック（Ｋ））の記録ヘッド２０９をＭＰＵ２００からのプリント信号に基づいて駆動して印字する。
【００２５】
図３は、図１に示したホストコンピュータ１０３から転送される印刷コマンドの構造を説明する図であり、図１に示したホストコンピュータ１０３がアクセス可能なＩＣカード内に記憶される印刷コマンドに対応する。
【００２６】
この図に示すように、本実施形態におけるＩＣカード３００内の印刷データは、印刷の基準となる設定が存在する開始コマンド３０１と、データである複数のフィールド３０５と、印刷データの終了を表わす終了コマンド３０４からなる。更に、フィールド３０５は、印刷データの各種属性の設定が存在する属性部３０２と、実データであるデータ部３０３とに分けられる。
【００２７】
なお、（ａ）はＩＣカード３００本体を示し、（ｂ）は開始コマンド３０１の詳細を示し、該開始コマンドは識別コード，印刷基準位置，有効印刷領域，印刷枚数等から構成されている。（ｃ）は属性部３０２で、キャラクタ，イメージ，バーコードから構成され、キャラクタは識別コード，フォント種類，文字サイズ，文字色，文字修飾，文字間隔，回転等から構成されており、イメージは識別コード，縦横サイズ，イメージ種，描画色等から構成されており、バーコードは識別コード，バーコード種類，バー倍率，バー上下サイズ，文字サイズ，文字色，回転等から構成されている。
【００２８】
（ｄ）はデータ部３０３の詳細を示し、データ長とデータとから構成されている。（ｅ）は終了コマンド３０４の詳細を示し、識別コードから構成されている。
【００２９】
図４は、図２に示したプログラムＲＯＭ２０１に格納されるバーコードジェネレータの構造を説明する図であり、例えばバーコードである「ＣＯＤＡＢＡＲ（ＮＷ−７）」のキャラクタ「０」の場合に対応する。
【００３０】
この図に示すように、各キャラクタに対応するバーパターン情報（白パターン，黒パターン）をエレメント単位に数値化（１６進数「ＸＸＨ」で数値化される）して格納している。すなわち、１キャラクタがキャラクタコード情報，バーパターンのデータサイズ情報，バーパターン情報から構成されている。
【００３１】
図５は、図４に示したバーコードジェネレータにおけるバーコードの格納データテーブルの一例を示す図であり、バーコードである「ＣＯＤＡＢＡＲ（ＮＷ−７）」を図４に示したように数値化して格納される。
【００３２】
以下、本実施形態と第１〜第７の発明の各手段との対応及びその作用について図２〜図５等を参照して説明する。
【００３３】
第１の発明は、バー情報がエレメント単位に数値化された所定のバーコード情報をキャラクタ毎に記憶する記憶手段（プログラムＲＯＭ２０１）を有し、バーコードのパターン情報を少ない記憶容量で記憶することを可能とする。
【００３４】
第２の発明（詳細は第２実施形態に示す）は、前記記憶手段は、前記バーコード情報とともに、バーコードの展開幅を決定する倍率データをそれぞれ記憶して、パターン展開時の倍率計算処理を不要とすることを可能とする。
【００３５】
第３の発明は、バー情報がエレメント単位に数値化された所定のバーコード情報をキャラクタ毎に記憶する記憶手段（プログラムＲＯＭ２０１）と、入力されるキャラクタコードに基づいて前記記憶手段に記憶されたバーコード情報をエレメント単位に読み出してバーパターンを展開する展開手段（ＭＰＵ２００がプログラムＲＯＭ２０１に格納された制御プログラムを実行して展開制御する）と、前記展開手段により展開されたバーパターンを保持する保持手段（ＶＲＡＭ２０４）と、前記保持手段に保持される前記バーパターンを出力する出力手段（例えば表示装置，印刷装置等）とを有し、ホストコンピュータ１０３から入力されるキャラクタコードに基づいてＭＰＵ２００がプログラムＲＯＭ２０１に記憶されたバーコード情報をエレメント単位に読み出してＶＲＡＭ２０４へバーパターンを展開して、黒パターンまたは白パターンをエレメントとして効率よく短時間に連続展開処理することを可能とする。
【００３６】
第４の発明は、前記出力手段は、インクジェットプリンタで構成し、バーパターンをロール紙やカットシートやラベル紙に印刷することを可能とする。
【００３７】
第５の発明は、前記展開手段は、バー幅を計算してバーパターンを展開し、指定された倍率に応じた最適なバー幅でバーパターンを展開処理することを可能とする。
【００３８】
第６の発明は、前記展開手段は、あらかじめ保持された倍率データに基づいたバー幅を用いてバーパターンを展開して、指定された倍率に応じた最適なバー幅でバーパターンを高速に展開処理することを可能とする。
【００３９】
第７の発明は、前記記憶手段（プログラムＲＯＭ２０１）は、前記バーコード情報とともに、バーコードの展開幅を決定する倍率データをそれぞれ記憶して、ＭＰＵ２００による倍率算出処理を行うことなく、所望のバー幅のバーコードパターンを展開処理可能とする。
【００４０】
以下に、本発明によるバーコードジェネレータを使用してＶＲＡＭ２０４にバーパターンをビットマップ展開するデータ処理動作について説明する。
【００４１】
図６は、本発明に係る印刷装置の第１のデータ処理方法を説明するフローチャートであり、バーコードジェネレータを使用してバーコードをＶＲＡＭ２０４にビットマップ展開する処理に対応する。なお、（１）〜（１１）は各ステップを示す。
【００４２】
先ず、バーコード展開処理要求が発生すると、データ終了を判定し（１）、ＮＯならば、第１番目の「キャラクタ情報」を獲得し（２）、該獲得したキャラクタ情報と対応している「バーパターン情報」をバーコードジェネレータより検索を開始し（３）、バーパターン情報終了を判定し（４）、ＮＯならば、該検索したバーパターンの第１番目のエレメント情報を獲得し（５）、該取得した「エレメント情報」をバーコードの属性で指定されている「バー倍率」と積をとることにより展開するべきバーの幅を算出する（６）。
【００４３】
そして、そのエレメントが奇数番目か偶数番目かにより黒バーかどうかを判定し（７）、黒バーと判定された場合は、ＭＰＵ２００がＶＲＡＭ２０４にバーパターンを展開し（８）、ステップ（４）へ戻り、バーパターン終了まで同様の処理を繰り返す。
【００４４】
一方、ステップ（７）で白バーと判定された場合は、ＭＰＵ２００が白バーとしてＶＲＡＭ２０４に展開して（９）、ステップ（４）へ戻り、バーパターン終了まで同様の処理を繰り返す。
【００４５】
一方、ステップ（４）でバーパターン情報終了と判定された場合には、すなわち、１キャラクタの展開が終了すると、キャラクタ間の白バーの展開するべきバーの幅を算出し（１０）、ＭＰＵ２００が白バーをＶＲＡＭ２０４に展開して（１１）、ステップ（１）へ戻る処理をバーコードデータが終了するまで実行する。
【００４６】
以下、本実施形態と第８〜第１１の発明の各工程との対応及びその作用について図６等を参照して説明する。
【００４７】
第８の発明は、バー情報がエレメント単位に数値化された所定のバーコード情報をキャラクタ毎に記憶する記憶手段（プログラムＲＯＭ２０１）を有する出力装置のデータ処理方法において、入力されるキャラクタコードに基づいてプログラムＲＯＭ２０１に記憶されたバーコード情報をエレメント単位に読み出してバーパターンをメモリに展開する展開工程（図６のステップ（１）〜（１０），後述する図８のステップ（１）〜（９））を実行して、すなわち、ＭＰＵ２００がプログラムＲＯＭ２０１または図示しない記憶媒体に記憶された制御プログラムを実行して、黒パターンまたは白パターンをエレメントとして効率よく短時間に連続展開処理することを可能とする。
【００４８】
第９の発明は、前記メモリに展開されたバーパターンを出力する出力工程（図示しない印刷処理ルーチンを実行してＶＲＡＭ２０４に展開されたバーコードを印刷する）を実行して、すなわち、ＭＰＵ２００がプログラムＲＯＭ２０１または図示しない記憶媒体に記憶された制御プログラムを実行して、展開されたバーコードを短時間に印刷処理することを可能とする。
【００４９】
第１０の発明は、入力されるキャラクタコードに基づいて前記記憶手段に記憶されたバーコード情報をエレメント単位に読み出してバーパターンをメモリに展開する展開工程（図６のステップ（１）〜（１０），後述する図８のステップ（１）〜（９））を含む、コンピュータが読むことができるプログラムを記憶媒体（本実施形態ではプログラムＲＯＭ２０１とするが後述する他の記憶媒体であってもよい）に格納したものである。すなわち、図６，後述する図８に示す工程に対応するプログラムコードを記憶させ、該プログラムコードを記憶した記憶媒体からＭＰＵ２００が読み出して実行する形態も本発明の実施形態に含まれるものである。
【００５０】
第１１の発明は、キャラクタ毎にバー情報がエレメント単位に数値化された所定のバーコード情報を含む、コンピュータが読むことができるプログラムを記憶媒体（本実施形態ではプログラムＲＯＭ２０１とするが後述する他の記憶媒体であってもよい）に格納したものである。すなわち、図５または後述する図７の（ｂ）に示したキャラクタ毎にバー情報がエレメント単位に数値化された所定のバーコード情報を記憶させ、ＭＰＵ２００が読み出して処理する形態も本発明の実施形態に含まれるものである。
【００５１】
これにより、従来のバーコードパターン展開処理では各ビット毎に白または黒のパターンを展開する処理が、連続する黒または白のエレメントパターンを一時にパターン展開処理してしまうので、バーコードパターン展開処理時間を大幅に短縮できる。
【００５２】
なお、前記実施形態においては、カラーバーコードプリンタシステムを例にして説明したが、内部にバーコードジェネレータを有するプリンタであれば、プリンタの種類に限定されるものではない。
【００５３】
〔第２実施形態〕
前記第１実施形態においては、図６に示したステップ（６）等において、ＭＰＵ２００が取得した「エレメント情報」をバーコードの属性で指定されている「バー倍率」と積をとりながらエレメントのパターン展開を行う場合について説明したが、図２に示したプログラムＲＯＭ２０１に内蔵されるバーコードジェネレータ内に倍率毎に各キャラクタに対応するバーパターンをエレメント単位に数値化して格納する構成としてもよい。以下、その実施形態について説明する。
【００５４】
図７は、本発明の第２実施形態を示す印刷装置のメモリ資源に記憶されるバーコードジェネレータの構造を説明する図であり、（ａ）はキャラクタ「０」のキャラクタデータを示し、（ｂ）は１つのキャラクタに対して、例えば３個の倍率情報に対応するキャラクタデータを格納したバーコードキャラクタジェネレータテーブルを示す。
【００５５】
以下、図８に示すフローチャートを参照しながら本発明に係る印刷装置における第２のデータ処理動作について説明する。
【００５６】
図８は、本発明に係る印刷装置における第２のデータ処理手順の一例を示すフローチャートであり、図７に示したバーコードジェネレータを使用してバーコードを図１に示したＭＰＵ２００がＶＲＡＭ２０４にビットマップ展開する処理に対応する。なお、（１）〜（９）は各ステップを示す。
【００５７】
先ず、バーコード展開処理要求が発生すると、データ終了を判定し（１）、ＮＯならば、第１番目の「キャラクタ情報」と「倍率情報」を獲得し（２）、獲得した情報と対応している「バーパターン情報」をバーコードジェネレータより検索する（３）。次いで、バーパターン情報終了を判定し（４）、ＮＯならば、該検索したバーパターンの第１番目のエレメント情報を獲得する（５）。そして、そのエレメントが奇数番目か偶数番目か、すなわち、エレメントパターンが黒バーかどうか判定し（６）、黒バーと判定された場合は、ＭＰＵ２００が黒バーとしてＶＲＡＭ２０４にエレメントパターン展開し（７）、ステップ（４）へ戻り、以上の処理をバーコードデータが終了するまで実行する。
【００５８】
一方、ステップ（６）で、白バーと判定された場合には、ＭＰＵ２００が白バーとしてＶＲＡＭ２０４に展開して（８）、ステップ（４）へ戻り、以上の処理をバーパターンの情報が終了するまで続ける。
【００５９】
一方、ステップ（４）で、１キャラクタの展開が終了したと判定された場合には、ＭＰＵ２００がＶＲＡＭ２０４上にキャラクタ間の白バーを展開して（９）、ステップ（１）へ戻り、以上の処理をバーコードデータが終了するまで実行する。
【００６０】
これにより、第１実施形態に比べて、倍率算出処理時間が不要となり、バーコード展開効率を格段に向上できる。
【００６１】
なお、前記第２実施形態においては、カラーバーコードプリンタシステムを例にして説明したが、内部にバーコードジェネレータを有するプリンタであれば、プリンタの種類に限定されるものではない。
【００６２】
また、記録媒体の対象も、ロール紙に限らず、ラベルシート等であってもよいし、プリント方式もインクジェット方式に限らず、他のプリント方式でもよい。さらに、印刷部を手動走査するプリンタにも本発明を適用することができる。
【００６３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００６４】
この場合、記憶媒体から読み出されたプログラムコード自体が本発明の新規な機能を実現することになり、そのプログラムコードを記憶した記憶媒体は本発明を構成することになる。
【００６５】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００６６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００６７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００６８】
図９は、本発明に係る印刷装置で読み出し可能な各種データおよびプログラムを格納する記憶媒体のメモリマップを説明する図である。
【００６９】
なお、本実施形態では記憶媒体としてプログラムＲＯＭ２０１を例としたが、他の上記例示される記憶媒体であっても本発明を適用することができる。
【００７０】
さらに、プログラムＲＯＭ２０１には、図６に示した各ステップの制御プログラムまたは図８に示した各ステップの制御プログラムおよび図５に示したバーコードジェネレータとしてのバーコード情報が記憶されている。
【００７１】
また、本発明は、複数の機器から構成されるシステムに適用しても、１つの機器からなる装置に適用してもよい。また、本発明は、システムあるいは装置にプログラムを供給することによって達成される場合にも適用できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【００７２】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【００７３】
【発明の効果】
以上説明したように、本発明に係るバーコード発生装置および出力装置のデータ処理方法よれば、バーコード情報を構成するエレメント単位毎に数値化された所定のバーコード幅情報並びにバーコードの展開幅を決定する倍率データを記憶するので、バーコードの倍率計算による展開処理時間を短縮できる。
また、本発明に係る出力装置および出力装置のデータ処理方法によれば、入力されるキャラクタコードに基づいて記憶されるバーコード情報と該バーコードの展開幅を決定する倍率データとを読み出して倍率に応じたバーパターンを展開して出力するので、バーコードの倍率計算による展開処理時間を短縮して、効率よくバーパターンを出力できる。
【図面の簡単な説明】
【図１】本発明に係るバーコード発生装置および出力装置を適用可能な印刷装置を提供可能なプリンタシステムの構成を説明する概略斜視図である。
【図２】本発明の第１実施形態を示す印刷装置の構成を説明する制御ブロック図である。
【図３】図１に示したホストコンピュータから転送される印刷コマンドの構造を説明する図である。
【図４】図１に示したプログラムＲＯＭに格納されるバーコードジェネレータの構造を説明する図である。
【図５】図４に示したバーコードジェネレータにおけるバーコードの格納データテーブルの一例を示す図である。
【図６】本発明に係る印刷装置の第１のデータ処理方法を説明するフローチャートである。
【図７】発明の第２実施形態を示す印刷装置のメモリ資源に記憶されるバーコードジェネレータの構造を説明する図である。
【図８】本発明に係る印刷装置における第２のデータ処理手順の一例を示すフローチャートである。
【図９】本発明に係る印刷装置で読み出し可能な各種データおよびプログラムを格納する記憶媒体のメモリマップを説明する図である。
【図１０】この種の印刷装置に適用可能なバードコードテーブルの一例を示す図である。
【図１１】従来のバーコードジェネレータにおけるバーコードデータの詳細を示す図である。
【符号の説明】
２００  ＭＰＵ
２０１  プログラムＲＯＭ
２０２  ＲＡＭ
２０３  ＣＧＲＯＭ
２０４  ＶＲＡＭ
【図１】
0003771318.tif 000002
【図２】
0003771318.tif 000003
【図３】
0003771318.tif 000004
【図４】
0003771318.tif 000005
【図５】
0003771318.tif 000006
【図６】
0003771318.tif 000007
【図７】
0003771318.tif 000008
【図８】
0003771318.tif 000009
【図９】
0003771318.tif 000010
【図１０】
0003771318.tif 000011
【図１１】
0003771318.tif 000012